Podtech/llm-jp-corpus-v4-ja_patent huggingface dataset:
(57)【要約】【課題】  衝撃による振動力をエネルギーとして利用する為、ラチェット本来の一方向の力を伝達するのでは振動の往復する力を無駄なく利用できない不都合を解決すること。【解決手段】  往復運動する振動力を利きと開放が同方向に設定したラチェット構造の歯車を振動ラックでそれぞれ逆向きに回転させ交互に利き開放を繰り返し動力軸（３）に無駄なく振動力を回転に変換させる事で解決する。【選択図】図１
2009162209.tif 000002
【特許請求の範囲】
【請求項１】
振動ラック体（１−Ａ）の両側面にそれぞれ噛み合う、利き及び開放を同方向に設定したラチェット構造の歯車（２−１）（２−２）と連動する軸（３−１）（３−２）歯車（４−１）（４−２）、歯車（４−１）（４−２）と噛み合う、歯車（５）動力軸（３）へ動力伝達する事を特徴とする機関。
【請求項２】
動力軸（３）に直列に配された、利き及び開放が同方向に設定したラチェット構造の歯車（２−１）（２−２）、動力軸（３）を中心にして、歯車（２−１）（２−２）のそれぞれ左端、右端一方に噛み合う振動ラック体（１−Ｂ）で構成される事を特徴とする動力伝達機関。
【発明の詳細な説明】
【技術分野】
【０００１】  本発明は動力伝達に関するものであり、ラチェット機構の特性を利用したものである。
【背景技術】
【０００２】  従来ラチェット機構は締め付け工具や自転車のフリーホイール、時計部品等、動力を一方向に利かし、又は開放させる機構として利用されてきた。
【発明の開示】
【発明が解決しようとする課題】
【０００３】  本発明は衝撃による振動力をエネルギーとして利用する為、ラチェット本来の一方向の力を伝達するのでは振動の往復する力を無駄なく利用できない不都合を解決する事を課題とする。
【課題を解決するための手段】
【０００４】  この課題を解決するための請求項１の発明は、衝撃により発生した振動力が振動ラック体（１−Ａ）に往復力を生じさせ、その両側面にそれぞれ噛み合うラチェット構造の歯車（２−１）（２−２）は利き及び開放が同方向に設定され、かつ歯車（２−１）と（２−２）は逆方向に回転する為、振動ラック体（１−Ａ）の振動方向により一方が利き、片方が開放となる回転を繰り返し連動する軸（３−１）（３−２）、歯車（４−１）（４−２）、歯車（５）、動力軸（３）へと回転力を無駄なく伝達する事ができる。【０００５】  また請求項２の発明は、振動ラック体（１−Ｂ）に作用する振動力が動力軸（３）に直列に配されたラチェット構造の歯車（２−１）（２−２）のそれぞれ左端、右端一方に噛み合う為、利き及び開放が同方向に設定されているので、振動方向により一方が利き片方が開放となる回転を繰り返し、動力軸（３）へと回転力を無駄なく伝達する事ができる。
【発明の効果】
【０００６】  本発明により、本来発生を低減させるべき車両の走行で発生する衝撃による振動力をエネルギー源として車両側、路面側共に利用でき、その往復運動を無駄なくツインラチェットで回転力に変換し発電に利用できる。
【発明を実施するための最良の形態】
【０００７】  図１は、振動ラック体（１−Ａ）の両側面にそれぞれ噛み合う利き及び開放を同方向に設定したラチェット構造の歯車（２−１）（２−２）と連動する軸（３−１）（３−２）、歯車（４−１）（４−２）と噛み合う歯車（５）、動力軸（３）へ動力伝達する事を特徴とする機関の斜視図である。【０００８】  図２は、動力軸（３）に直列に配された利き及び開放が、同方向に設定したラチェット構造の歯車（２−１）（２−２）、動力軸（３）を中心にして、歯車（２−１）（２−２）のそれぞれ左端、右端一方に噛み合う振動ラック体（１−Ｂ）で構成される事を特徴とする動力伝達機関の斜視図である。
【産業上の利用可能性】
【０００９】  本発明に係る機関は広く発電用に利用できる為、産業上の利用可能性を有する。
【図面の簡単な説明】
【００１０】
【図１】  振動ラック体（１−Ａ）の両側面にそれぞれ噛み合う利き及び開放を同方向に設定したラチェット構造の歯車（２−１）（２−２）と連動する軸（３−１）（３−２）、歯車（４−１）（４−２）と噛み合う歯車（５）、動力軸（３）へ動力伝達する機関の斜視図である。
【図２】  動力軸（３）に直列に配された、利き及び開放が同方向に設定したラチェット構造の歯車（２−１）（２−２）、動力軸（３）を中心にして歯車（２−１）（２−２）のそれぞれ左端、右端一方に噛み合う振動ラック体（１−Ｂ）で構成される動力機関の斜視図である。
【符号の説明】
【００１１】１−Ａ      振動ラック体
１−Ｂ      振動ラック体
２−１      ラチェット構造の歯車
２−２      ラチェット構造の歯車
３          動力軸
３−１      軸
３−２      軸
４−１      歯車
４−２      歯車
５          歯車
Ｃ          ラチェット部
【図１】
2009162209.tif 000003
【図２】
2009162209.tif 000004
(57)【要約】      （修正有）【課題】やみくもに英語を聞き流しているだけでは、日本語にはない英語特有の音を聞き逃してしまう。リスニング力をつけるために、それらを意識できる教具を提供する。【解決手段】具体的内容：（１）  英語を聞きながら日本語を読む（２）  日本語を聞きながら英語を読むこの２つの作業を、ＣＤ教具使用し、低速から高速へと速度を３段階に変えながら交互に行う。英文を目で追いながら日本語を聞く、和文を目で追いながら英語を聞く、という動作を、速度を徐々に上げながら行う。このような単純な作業で、リスニング力、英語理解力を飛躍的に向上させることが期待できる。トレーニングを続けることで、英文一つ一つが意味を持った言葉として自然と頭に入ってくるようになる。さらに、リスニングのみならず、リーディング力、スピーキング力も同時に向上し、総合的な英会話力が身に付く。【選択図】図１
2009048150.tif 000002
【特許請求の範囲】
【請求項１】
英会話超速メソッド英語教具
【発明の詳細な説明】
【技術分野】
【０００１】二変三速リスニングで、ネイティブ脳＆ネイティブ耳を作るための教具。
教具は教具Ａのと教具Ｂのテキストを使用する。
教具ＡのＣＤを使用することにより、英語のリスニング分野の向上が期待できる。
ＣＤを聞くと同時に、常にテキスト（英文＆和文）を目で追わなければならないため、自然と集中力も増し、大変効率が良く密度の濃いトレーニングが可能。
使われている英文の難易度はレベル１からレベル４までの４段階に分かれていますので、どのレベルの学習者でも無理なくトレーニングを始めることができる。
【発明の開示】
【発明が解決しようとする課題】思考回路を強制的にネイティブ脳に切り替える。それにより聞こえなかった英語の発音が聞き取りやすくなる。
【課題を解決するための手段】ＣＤの速度を変えて、教材Ｂのテキストを読む。
【発明の効果】遅く聞いたり、速く聞いたりを繰り返すことにより、これまで気づかなかった、英語独特の音を意識することになり、やがて日本語にはない英語音も聞き取れるようになる。
【図面の簡単な説明】
【図１】テキスト、つまり英文和文が記載されている書籍
【図２】英語ネイティブスピーカーによる英文が録音されたコンパクトディスク
【図１】
2009048150.tif 000003
【図２】
2009048150.tif 000004
(57)【要約】【課題】  パンコンや携帯（以下、端末と言う）のデータの圧縮には限界があり、端末に保存できるデータの容量は限られている。しかし近年、高画質の映像など、容量が多いのが増えたため、端末に保存できない場合もある。このような不都合を解決すること。【解決手段】  端末で保存できない容量などをインターネットのサーバーに保存することで、端末の容量以上のデータを使用することができることにより、この課題を解決する。【選択図】図１
2009048596.tif 000002
【特許請求の範囲】
【請求項１】
パソコンや携帯電話など（以下、端末と呼ぶ）
にあるデータの“圧縮またはサイズを減らす”ために、インターネットのサーバーなどに“端末のデータの一部を暗号化して”保存し、データを使用する時は、端末にあるデータを表示しながらサーバーにある一部のデータをダウンロードして、元のデータに戻す、という一連のデータの容量削減（圧縮・解凍）方法。
【発明の詳細な説明】
【技術分野】
【０００１】  本発明は、ＩＴ分野に関するものであり、パソコンや携帯電話（以下、端末と言う）にあるデータの一部をサーバーに保存することで、端末の容量の削減をするものである。
【背景技術】
【０００２】  従来は、データを単に圧縮してすべてを端末に保存している。
これら圧縮の特許・技術は全世界に多々あり、文献を選べませんでした。
【発明の開示】
【発明が解決しようとする課題】
【０００３】  しかし、データの圧縮には限界があり、端末に保存できるデータの容量は限られている。しかし近年、高画質の映像など、容量が多いのが増えたため、端末に保存できない場合もある。このような不都合を解決することを課題とする。
【課題を解決するための手段】
【０００４】  この課題を解決するための請求項１の発明は以下の通りである。
今、技術の発達でサーバーの保存できる容量は爆発的に増えている。
これを利用し、端末で保存できない容量などをサーバーに保存するという方法である。
端末の容量以上のデータを使用することができる。
【発明の効果】
【０００５】  本発明により、端末より重い容量のデータを保存できないという不都合はおきず、理論上、端末の容量に左右されず大量のデータを扱える。
【発明を実施するための最良の形態】
【０００６】  図１は、端末に保存されているファイル・データを２つに分割して、１つをサーバーに保存しながら、もう１つを圧縮してから端末に保存する過程を示す図である。
圧縮は“時間はかかるが高圧縮できる”方法を採用しているので、圧縮率が高く保存時間も短くなる。【０００７】  図２は、ファイル・データを開く場合を示しており、端末のデータの解凍とサーバーからのダウンロードを同時に行い、従来の２倍の速さで解凍できる。【０００８】  分割時、サーバーに保存するサイズの最適値を算出する方法は以下の通りである。
インターネットの通信速度、解凍のスピード（端末の処理速度）に応じて変化させ、最適な一連の動作を可能にする。【０００９】分割方法に関して、具体的に発明者が開発したプログラムコードを引用する。
発明者の圧縮方式だと、ＣＰＵが３ＧＨｚ時に１ＭＢのデータを７秒で解凍するので、１秒間に解凍できる量は
【数１】
2009048596.tif 000003
により求められる（値はバイト）。よってサーバーに保存するサイズは
【数２】
2009048596.tif 000004
により求められる。
【産業上の利用可能性】
【００１０】  本発明は発明者が開発した最近のソフトに使用されていて、産業上利用可能である。
【図面の簡単な説明】
【００１１】
【図１】端末に保存されているデータを２つに分割して、同時に保存する過程を示す図である。
【図２】ファイル・データを使用する場合の一連の動作の図である。
【符号の意味】
【００１２】  １    処理に時間がかかるところ
２    処理をしながら表示していく過程を示している
【図１】
2009048596.tif 000005
【図２】
2009048596.tif 000006
(57)【要約】【課題】  微量成分を含む鉛電池添加剤錠剤およびその製造法において、錠剤中に微量添加成分を簡便に所定量ずつ添加でき、且つその添加度合いを簡単に確認できる錠剤およびその方法を提供する。【解決手段】  ポリビニルアルコール、ポリアクリル酸塩の少なくとも一つを含む錠剤の表面の一部または全表面に、微量添加成分と着色剤とが含まれる鉛電池添加剤錠剤。および、ポリビニルアルコール、ポリアクリル酸塩の少なくとも一つを含む錠剤の表面の一部または全表面に、微量添加成分と着色剤とが含まれる溶液の所定量を付着せしめた後乾燥する鉛電池添加剤錠剤の製造法。【特許請求の範囲】
【請求項１】
ポリビニルアルコール、ポリアクリル酸塩の少なくとも一つを含む錠剤の表面の一部または全表面に、微量添加成分と着色剤とが含まれることを特長とする鉛電池添加剤錠剤。
【請求項２】
請求項１において、微量添加成分が銀、インジウムよりなる群の中の少なくとも一つである鉛電池添加剤錠剤。
【請求項３】
ポリビニルアルコール、ポリアクリル酸塩の少なくとも一つを含む錠剤の表面の一部または全表面に、微量添加成分と着色剤とが含まれる溶液の所定量を付着せしめた後乾燥することを特長とする鉛電池添加剤錠剤の製造法。
【請求項４】
請求項３において、微量添加成分が銀、インジウムよりなる群の中の少なくとも一つである鉛電池添加剤錠剤の製造法。
【発明の詳細な説明】
【技術分野】
【０００１】  本発明は、微量成分を含む鉛電池添加剤錠剤およびその製造法に関する。
【背景技術】
【０００２】  本発明者等はポリビニルアルコール等の有機ポリマーを鉛電池の電解液に添加することにより、鉛電池の劣化を防止し、更に劣化した鉛電池の活性化が可能であることを見出した（特許文献１参照）。更にこの有機ポリマーに微量成分、例えば銀、インジウム等を加えると一層有効であることを見出した（特許文献２，３参照）。また本発明者等は、有機ポリマーを鉛電池の電解液に添加する方法として、添加剤を所定の重量の錠剤とすることにより電池への添加操作が一層簡便となることを見出した（特許文献４参照）。【０００３】  しかしながら、錠剤の原料である粉末中に前記の微量成分を均一に混合することは困難であり、その混合度合いを確認することも困難であった。
【特許文献１】  特開２０００−１４９９８１号公報
【特許文献２】  特開２００７−１０９６１８号公報
【特許文献３】  特開２００３−１５１６１８号公報
【特許文献４】  特願２００７−１５４５１６号
【発明の開示】
【発明が解決しようとする課題】
【０００４】  解決しようとする課題は、微量成分を含む鉛電池添加剤錠剤およびその製造法において、錠剤中に微量添加成分を簡便に所定量ずつ添加でき、且つその添加度合いを簡単に確認できる錠剤およびその方法を提供することにある。
【課題を解決するための手段】
【０００５】  本発明は、ポリビニルアルコール、ポリアクリル酸塩の少なくとも一つを含む錠剤の表面の一部または全表面に、微量添加成分と着色剤とが含まれる鉛電池添加剤錠剤であり、さらに該微量添加成分が銀、インジウムよりなる群の中の少なくとも一つである鉛電池添加剤錠剤である。また本発明は、ポリビニルアルコール、ポリアクリル酸塩の少なくとも一つを含む錠剤の表面の一部または全表面に、微量添加成分と着色剤とが含まれる溶液の所定量を付着せしめた後乾燥する鉛電池添加剤錠剤の製造法であり、さらに該微量添加成分が銀、インジウムよりなる群の中の少なくとも一つである鉛電池添加剤錠剤の製造法である。
【発明の効果】
【０００６】  即ち本発明では、微量添加成分を水またはアルコール等の液体に溶解し、更にその溶液に着色剤を加えることによって、鉛電池添加剤錠剤に加える微量添加成分の配分を容易にし、更に該微量添加成分が個々の錠剤に配分されていることを着色によって明確に確認できることにしたものである。【０００７】  本発明で用いる鉛電池添加剤錠剤は、ポリビニルアルコール、ポリアクリル酸塩等の粉末に必要に応じて成形助剤としてグリセリン脂肪酸エステルやシリカ粉末を加え、水分またはアルコールを加えて金型を用いて加圧成形することができる。このようにして成形した錠剤は多孔質であり、その表面に溶液を吹き付けるか滴下する等の方法により、任意の量の溶液をその表面に含浸させることができる。【０００８】  本発明で用いる微量添加成分は、負極の水素過電圧を上昇せしめることによりサルフェーションを解消し、且つ電極活物質の微細化により電極を活性化するポリビニルアルコール等の有機ポリマーについて、その作用を一層促進する効果を有するものであり、例えば銀では、銀コロイドまたは硫酸銀等を添加することにより放電時の大電流放電特性を改善するものである。銀の添加量としては電解液中および／または電極活物質中に銀成分が０．０１ないし１００ｐｐｍ含まれる量とすることが望ましい。インジウムには、電極格子の機械的強度を増す目的で一般に用いられている鉛アンチモン合金からアンチモンが溶出して負極に析出することにより負極の水素過電圧が低下する作用を打ち消す効果があり、通常インジウムイオンとして１ないし１０００ｐｐｍを電解液中および／または電極活物質中に含まれる量とすることが望ましい。【０００９】  本発明で用いる着色剤は、電池の電極反応に悪影響を及ぼさないものであれば良く、水またはアルコール等の溶媒に溶かして用いる。その色は赤、青、緑、黄等任意の色を用いることができる。更にこの着色によって、他の種類の錠剤と明確に識別することができ、誤使用を避ける効果もある。【００１０】  微量添加成分と着色剤を溶かした溶液は、吹き付け、滴下、印刷、浸漬等の方法により、鉛電池添加剤錠剤の表面に付着させると、多孔質な錠剤に吸収されてその表面が所定の色に着色される。この着色の面積や濃度により、個々の錠剤に吸収された微量添加成分の量を容易に検出することができる。これらの微量添加成分の添加量は通常厳密に制御する必要は無く、目標値に対して数十％の誤差があっても差支えない。従って錠剤の着色の程度を管理することで、充分にその目的を達成できる。【００１１】  微量添加成分と着色剤を溶かした溶液を鉛電池添加剤錠剤の表面に付着させた後、これを乾燥させると、該錠剤の表面に難溶性の層が形成され、これによってポリビニルアルコール、ポリアクリル酸塩等の溶解速度が制限される。例えば円盤状の錠剤の上面と下面に微量添加成分と着色剤を溶かした溶液を付着させ、これを乾燥した場合、錠剤の溶解速度を十分の一程度に制限することが出来、添加剤の効果を長期間持続させることが可能であり、また、添加剤の添加に伴なう発泡現象も防止できる。
【発明を実施するための最良の形態】
【実施例】
【００１２】直径１０ミリメートル、厚さ６ミリメートル、重量０．５グラムのポリビニルアルコールの錠剤の表面に、硫酸銀０．２％とローズベンガル０．０２％とを含む水溶液０．０３ミリリットルを吹きつけ、これを常温で乾燥した。錠剤は薄い赤色に着色し、所定量の硫酸銀を含むことがその外観から容易に確認できた。またこの錠剤は鉛電池の電解液中で容易に溶解し、所定の機能を発揮した。
【産業上の利用可能性】
【００１３】  以上の説明から明らかなとおり、本発明は、鉛電池の長寿命化、活性化に使用する添加剤錠剤の性能向上に用いる微量添加成分の添加方法の合理化とその品質管理に極めて有効な方法を提供するものである。
(57)【要約】      （修正有）【課題】着火時に風が吹いても影響のない墓参用ローソク風防体を提供する。【解決手段】透明な上下部開放の中空の風防本体１の下部に、切除部よりなる着火口を、中空体上部に小径の通風口を一体に設けたことを特徴とする。【選択図】図４
2009048982.tif 000002
【特許請求の範囲】
【請求項１】
透明な上下部開放の中空体の下部に、切除部よりなる着火口を、中空体上部に小径の通気口を一体に設けたことを特徴とする墓参用ローソク風防体。
【発明の詳細な説明】
【技術分野】
【０００１】  この発明は、墓参時に用いるローソクの火が風により消えることを防止するための風防体に関する。
【背景技術】
【０００２】  従来より、墓参時に用いる種々の風防体が利用されているが、本発明にて示すように、本体上部口径を絞った通風部分を有するものは見あたらない。
【発明の開示】
【発明が解決しようとする課題】
【０００３】  古来より、墓参時にはローソクや線香に火をつけてお参りするのが習わしになっている。
墓地は屋外にあるため風の吹くことも多く、添加したローソクの火が風で消えてしまうことも多い。そのため、風防体もよく利用される。これには種々の形状のものがあるが、ガラスなどの透明体を単なる筒状に形成したシンプルなものが比較的多用されている。
これは、まず所定位置にローソクを立ててライター等の着火具にてローソクに火をつけた後、風防体をかぶせて用いるものである。
風防体をかぶせた後は、風が吹いてもローソクの炎には風が当たらず、火が消えることはない。しかし、着火時に風が吹くと、着火部分は覆われていないために着火したローソクの炎がすぐに消えてしまい、風防体の効用が失われるという問題がある。
本発明は、以上のような従来からの風防体に関わる課題を解決するために発明されたもので、着火時に風が吹いても問題なく着火でき、かつ着火後もローソクの火が消えることなく安定燃焼させることのできる、新規かつ有用なる風防体を提供することを目的としたものである。
【課題を解決するための手段】
【０００４】  課題を解決する手段として本発明は、以下の構成とした。
すなわち、透明な上下部開放の中空体の下部に、切除部よりなる着火口を、中空体上部に小径の通気口を一体に設ける。
本発明は以上の構成よりなる墓参用ローソク風防体である。
【発明の効果】
【０００５】  本発明によれば、透明筒体下部に着火口を、上部に小径の通気口を設けたので、ローソクへの着火時に風が吹いても火が消えることなく容易に着火でき、着火後も安定した燃焼を維持することのできる有用なる物品を得ることができる。また、筒体上部は小径のため、防風効果が高まるとともに雨滴による影響も極小とすることができる。
【発明を実施するための最良の形態】
【０００６】  以下、本発明の実施形態について説明する。
図において、１は透明ガラス製略筒体形状の風防本体である。２は着火口で、風防本体下部に設ける一定幅縦長の切除部分である。３は通気口で、風防本体の最上部に位置し、該本体上部を絞り込んで小径とし、上縁に向かうにつれてやや径が増加するテーパ形の部分である。また、本体肉厚に比べて通気口上縁の肉厚はやや大きい。
本発明は以上の構成から成り立ち、以下のように使用する。
まず、墓石に備わっているローソクをたてる部分にローソクをたてる。一般的には、中央に先鋭な棒状体による芯があり、その周囲に金属板による環体が位置しており、ローソクの底部の穴をこの芯に差し込んでローソクをたてる。次に本発明の風防体をローソクの真上に位置させ、徐々に下降させて着火口の上縁がローソク上端よりやや上に位置するまで下げて止め、この着火口よりライター等の着火具を挿入し、ローソクに着火させる。
このとき、風防体の下端はローソク上端より下に位置し、外部からの風はローソク上端に直に当たることがなく、安全確実に点火することができる。
点火後は着火具を抜き去り、風防体を下げて上述の環体にはめ込む。この環体径は定まっており、風防体の内径又は外径に適度の嵌合状態にて保持させることができる。
風防体セット後はローソクの炎は風防体内に位置して風による影響を受けることなく、安定燃焼を続けることができる。風防体内ではローソクの燃焼にて上昇気流が発生し、着火口より外気が連続的に供給されて風防体内に入り、上昇して通気口より抜けて酸素供給がなされ、燃焼が持続する。使用後は、風防体を抜き取り、ローソクを鎮火させて除去すればよい。【０００７】  以上、本発明について記したが、本発明は風防体下部の着火口と上部の通気口を有するところにその特徴を有している。既述の風防体には着火口がなく、着火時に風の影響を受けて着火が困難な場合があるが、本発明ではこの着火口によってこれを防止することができる。また本発明は小径の通気口を設けているので、風防体上縁からの風の吹き込みを極小とし、ローソクの安定燃焼を可能としている。従来品では口径を絞った上縁はないため、風の強い日ではその吹き込みにてローソクの火は消えないまでも安定して燃焼は得にくいが、本発明ではこれを防止することが可能である。
また本例では通気口を、上方に向かって増大する内外径としており、これにより風の影響をさらに弱めたものとしている。すなわち、風が通気口に当たるとその風はガラスエッジで二つに分かれ、エッジ周辺に乱流が発生し、次々とカルマンの渦ができ、この渦が内部の空気を振動させる。この要因を緩和するために口径変化を設けたものであり、風防内の気流を安定した状態に保つことができるのである。
なお、既述の例ではガラスにて風防体を形成したが、耐熱合成樹脂その他の透明素材にて形成してもよい。着火口や通気口の形状は一例であり、近似の他の形状としてもよい。
以上のごとく、本発明によってローソクへの着火および着火後の安定燃焼を可能とする有意な物品を提供することができる。
【図面の簡単な説明】
【０００８】
【図１】  本発明の平面図
【図２】  本発明の正面図
【図３】  本発明の拡大Ａ−Ａ断面図
【図４】  本発明の使用説明図
【符号の説明】
【０００９】  １  風防本体
２  着火口
３  通気口
４  環体
５  芯
６  ローソク
７  着火具
【図１】
2009048982.tif 000003
【図２】
2009048982.tif 000004
【図３】
2009048982.tif 000005
【図４】
2009048982.tif 000006
(57)【要約】      （修正有）【課題】抵抗を内蔵することにより、断線センサとしての機能を与えた電線を提供する。【解決手段】本電線は任意のところが断線した時に電線の電気抵抗を測定することによりどこが断線したかを検出するものである。これにより、従来、警備用の電線が断線した時、電線の全てを調べるという不合理を改善している。また、従来より存在するポーリング方式の高価な断線センサおよび監視装置によらず安価に等価の機能を提供するものである。【選択図】図１
2009048383.tif 000002
【特許請求の範囲】
【請求項１】
２芯以上の任意の導通線を備え、少なくともこのうち２芯の間に抵抗素子Ｒにて短絡接続した事を特徴とする電線。
【請求項２】
任意の間隔において抵抗Ｒを配置したことを特徴とする請求項１の電線。
【請求項３】
任意の間隔において色ないしタグをつけるか形状を変えた請求項２の電線。
【請求項４】
請求項１，２，３、の抵抗Ｒに対して直列に前後のどちらかにダイオードＤを接続した事を特徴とする電線。
【請求項５】
請求項４において配線したダイオードの極性が判るように電線の絶縁皮膜に色をつけてわかる様にした事を特徴とする電線。
【請求項６】
請求項１，２，３，４，５の電線を任意の長さに折りたたむか巻くか丸めて収納できるようにし、必要な長さだけ使用できるようにした事を特徴とするケー
ブル。
【請求項７】
請求項１、２，３、４、５，６の電線を接続する事を特徴とする警報システム。
【発明の詳細な説明】
【技術分野】
【０００１】
本発明は断線識別機能を備えた電線に関するものである。
【背景技術】
【０００２】
従来、最も普及している断線センサーは用途に応じて複数個カレントループに接続している。
断線センサーの一つが作動した時、カレントループは断線し電流の流れが遮断し警報がなるようになっている。
本発明はこの断線センサーの機能を電線に一体化させたものである。電線の実際の断線をもってして断線センサーの機能を持たせたものである。
【特許文献１】特願2007-210578
【発明の開示】
【発明が解決しようとする課題】
【０００３】
従来のＮ個の断線センサーをカレントループに接続した警報装置は、カレントループ接続した電線に流れる電流もしくは電圧を測定しており断線の有無を警報
にて鳴らす物であった。
【０００４】
この結果、断線センサーが作動した時にどのセンサーが作動したかを識別するか難しいという問題があった。
これを解決したものが特許文献１における「
特願2007-210578６」により発明したものである。
本発明は、「
特願2007-210578６」が発明したカレントループ接続するＮ個の断線センサーを接続していた。
「
特願2007-210578６」のＮ個の断線センサーを牧場の柵に利用した場合、任意の間隔で断線センサーを設置する必要がある。
これは煩雑ある。
【課題を解決するための手段】
【０００５】
特願2007-210578において発明した断線センサーを電線に一体化させる。断線センサの検知は電線の実際の切断により行う。
この電線を牧場の外周の柵に電線をひくだけで簡単に設置できる断線警報装置を実現できる。
【発明を実施するための最良の形態】
【０００６】
本発明の実施例について図面を用いて説明する。
【実施例１】
【０００７】
これは請求項１、２、３を備えた実施例である。
【０００８】
図１に本実施例を示す。
【０００９】
Ｓ１００１は本請求項１の電線の芯の一つを示すものである。
【００１０】
Ｓ１００２は電線の芯の一つを示すものである。
【００１１】
Ｓ１００３は内蔵する抵抗Ｒである。この抵抗Ｒは任意の値である。ここでは抵抗値ＫＲ１を示すものである。
【００１２】
本図は請求項１，２，３を満たした電線の電気的な等価回路である。実物は絶縁皮膜を被せるものである。
また絶縁皮膜は任意の色とし、Ｓ１００３を配置した所は、外見から分かるようにそこだけ異なる色をつけるものとする。
【００１３】
本実施例の電線は
特願2007-210578のＳ３００１の警報装置に接続して使用するものである。
本実施例は、断線状態をＳ１００１，Ｓ１００２の間の電気抵抗の変化にて識別できるようにした電線である。従い、電気抵抗の変化を測定する機材に接続す
れば機能する。
【００１４】
警報装置から見たとき、いま本実施例がｎ個目とｎ＋１個目のＳ１００３の間で断線断線した時、Ｓ１００１とＳ１００２の間の電気抵抗は次のようなものであ
る。
【００１５】
電気抵抗  ＝  ＫＲ  ／  ｎ
【００１６】
これより、電気抵抗の測定により断線箇所を測定できるものである。
【実施例２】
【００１７】
本実施例は請求項４、５を実現したものである。
【００１８】
実施例１に対してダイオードＳ１００４を追加したものである。
【００１９】
Ｓ１００４の接続によりＳ１００１に正の電圧を、Ｓ１００２に負の電圧をかけた時、Ｓ１００３は導通しない。逆電圧をかけたときだけ、電気抵抗を測定で
きるように改良したものである。
Ｓ１００４は、Ｓ１００３の前後どちらに接続しても良い。
【００２０】
本実施例は、この電線に電話などの信号を流せるようにしたものである。電話信号を実施例１に流したときはＳ１００３により信号が減衰して都合が悪い。
【００２１】
本実施例はこれを改善しＳ１００１に正の電圧をかけた時はＳ１００３に電気が流れて信号が減衰しないようにしたものである。
抵抗を測定したい時は、逆電圧をかけて行うものである。この時、Ｓ１００４は導通し実施例１と等価に動作する。
【００２２】
また、電線のＳ１００１側とＳ１００２側は絶縁皮膜の外側に色を違えて、どちらがどちらか判るようにするものとする。
【図面の簡単な説明】
【００２３】
【図１】抵抗を内蔵した電線を表す図である。
【００２４】
【図２】抵抗とダイオードを内蔵した電線を表す図である。
【符号の説明】
【００２５】
Ｓ１００１…電線の芯の一つである。
【００２６】
Ｓ１００２…電線の芯の一つである。
【００２７】
Ｓ１００３…電線に組み込む抵抗である。
【００２８】
Ｓ１００４…電線に組み込むダイオードである。
【図１】
2009048383.tif 000003
【図２】
2009048383.tif 000004
(57)【要約】【課題】  電子写真装置に用いる現像装置においてタイミングベルトとプーリーとの摩擦で発生した熱が現像ロールを支持しているベアリング部に伝わり、前記ベアリング部に接触した現像剤が前記ベアリング部に固着し前記現像ロールが動作不良となる問題を解決する。【解決手段】  モーターの駆動力をタイミングベルトとプーリーとキーとによってベアリングによって支持された現像ロールに伝達する現像装置において、前記プーリーは熱伝導率が低い材料を使用し、プーリーの熱伝導率は１０［Ｗ／（ｍ・Ｋ）］以下のものを使用する。【選択図】図１
2009181078.tif 000002
【特許請求の範囲】
【請求項１】
モーターの駆動力をタイミングベルトとプーリーとキーとによってベアリングによって支持された現像ロールに伝達する現像装置において、前記プーリーは熱伝導率が低い材料であることを特徴とする現像装置。
【請求項２】
前記プーリーの熱伝導率は１０［（Ｗ／（ｍ・Ｋ）］以下であることを特徴とする請求項１記載の現像装置。
【発明の詳細な説明】
【技術分野】
【０００１】
本発明は、モーターの駆動力をタイミングベルトとプーリーとキーとによってベアリングによって支持された現像ロールに伝達する構成を有した電子写真装置に用いる現像装置に関するものである。
【背景技術】
【０００２】
モーターの駆動力をタイミングベルトとプーリーとキーとによってベアリングによって支持された現像ロールに伝達する構成を有した電子写真装置に用いる現像装置においては、大半の現像剤が滞留している現像槽フレームを冷却して現像剤を冷却していた。
【０００３】
しかしながら、モーターの駆動力をタイミングベルトとプーリーとキーとによってベアリングによって支持された現像ロールに伝達する構成を有した電子写真装置に用いる現像装置においては、前記タイミングベルトと前記プーリーとの摩擦で発生した熱が現像ロールを支持しているベアリング部に伝わり、前記ベアリング部に接触した現像剤が前記ベアリング部に固着し前記現像ロールが動作不良となる問題があった。
【０００４】
【特許文献１】特開２０００−２６７４４０号公報
【発明の開示】
【発明が解決しようとする課題】
【０００５】
本発明は、上記のように現像剤がベアリング部に固着することによって発生する現像ロールの動作不良を防止し、安定した現像装置の動作を提供することを目的とする。
【課題を解決するための手段】
【０００６】
上記課題は、モーターの駆動力をタイミングベルトとプーリーとキーとによってベアリングによって支持された現像ロールに伝達する現像装置において、前記プーリーは熱伝導率が低い材料を使用し、プーリーの熱伝導率は１０［Ｗ／（ｍ・Ｋ）］以下のものを使用することで達成される。
【発明の効果】
【０００７】
本発明の電子写真装置に用いる現像装置においては、前記タイミングベルトと前記プーリーとの摩擦で発生した熱を前記プーリーで遮断するため、ベアリング部に接触した現像剤がベアリング部に固着することによって発生する現像ロールの動作不良を防止し、安定した現像装置の動作を提供することができる。
【発明を実施するための最良の形態】
【０００８】
図１は本発明の電子写真装置に用いる現像装置の模式図を示したものである。図１においてモーター（図示せず）の駆動力はタイミングベルト１と、プーリー２と、キー３とを介してベアリング５に支持された現像ロール８に伝達する構成をなしている。
【０００９】
ここで、プーリー２は、現像ロール８の回転軸１０上で、ベアリング５に隣接した位置に配置されているとともに、ネジ４によって現像ロール８の回転軸１０に固定されている。ベアリング５は、ホルダー６に支持されて、現像装置のフレーム７に取付けられており、現像剤９は現像ロール８によって搬送される。ここでプーリー２は熱伝導率が低い材料を使用する。具体的には、プーリーの熱伝導率は１０［Ｗ／（ｍ・Ｋ）］以下を使用することで、現像剤９がベアリング５に固着することによって発生する現像ロール８の動作不良を防止することができる。
【産業上の利用可能性】
【００１０】
現像剤がベアリング部に固着し現像ロールが動作不良を防止し、安定した現像装置の動作を提供することで、特に超高速で大量の印刷をする電子写真装置の現像装置に利用できる。
【図面の簡単な説明】
【００１１】
【図１】本発明の電子写真装置に用いる現像装置の模式図を示したものである。
【符号の説明】
【００１２】
１はタイミングベルト、２はプーリー、３はキー、４はネジ、５はベアリング、６はホルダー、７は現像装置のフレーム、８は現像ロール、９は現像剤、１０は回転軸である。
【図１】
2009181078.tif 000003
(57)【要約】【課題】  加熱ローラと加圧ローラの狭持によりトナー像を用紙に定着させる定着装置において、シリコンオイルが加圧ローラ表面に付着することにより発生する印刷用紙の汚染を防止することである。【解決手段】  定着ローラを清掃するウェブ清掃装置を備えた定着装置において、清掃ウェブを搬送する搬送経路上に前記清掃ウェブの厚さよりも小さく設定された狭路を形成する一対の案内部材を設けるとともに、前記案内部材の側面に貫通穴を形成する。【選択図】図２
2009181079.tif 000002
【特許請求の範囲】
【請求項１】
定着ローラを清掃するウェブ清掃装置を備えた定着装置において、清掃ウェブを搬送する搬送経路上に前記清掃ウェブの厚さよりも小さく設定された狭路を形成する一対の案内部材を設けるとともに、前記案内部材の側面に貫通穴を形成したことを特徴とする定着装置。
【発明の詳細な説明】
【技術分野】
【０００１】
本発明は電子写真式印刷装置に用いられる定着装置に関するものである。
【背景技術】
【０００２】
図４に従来の定着装置の概略図を示す。従来の定着装置として、加熱ローラ１と加圧ローラ２の狭持により得られる温度場及び圧力場を利用してトナー像３を用紙４に定着させる方式が多く用いられている。前記の定着装置においては、加熱ローラ１表面へトナー像３がオフセットすることを防止するため、加熱ローラ１表面にシリコンオイルを薄く塗布し、離型性を向上させることが一般的に実施されている。
【０００３】
上記の電子写真式印刷装置において、印刷中、用紙通過部では加熱ローラ１表面に付着したシリコンオイルは常に用紙４に含浸し持ち去られるため、シリコンオイルの需要と供給は均衡している。一方、用紙非通過部においては、加熱ローラ１表面に付着したシリコンオイルは加圧ローラ２表面にも塗布されることになる。従って、連続した印刷が実施されると、用紙非通過部においては、用紙がシリコンオイルを吸収することがないため、加圧ローラ２の表面に多量のシリコンオイルが付着することになる。従って、多量に幅狭用紙を印刷した後に用紙を変更し、幅広用紙を印刷すると、加圧ローラ２表面に付着した多量のシリコンオイルが、用紙４に吸収され、用紙４にオイル染みを作ることになる。
【０００４】
従来の定着装置においては、前記のオイル染みを防ぐため、加圧ローラ２に当接する固定式ウェブ６を実装し、加圧ローラ２表面のシリコンオイルを拭き取っていた。この固定式ウェブ６においては、多量のシリコンオイルを高温下で長時間保持することになり、シイコンオイルのゲル化が発生する。ゲル化したシリコンオイルは、加圧ローラ２を介して加熱ローラ１の表面に付着し、更に加熱ローラ１を介して用紙４を汚染することがあった。また、加圧ローラ２に付着したシリコンオイルを拭き取るため、加圧ローラ２と接触するように加圧ローラ清掃ウェブが配置されているものがある。この場合は、加圧ローラ清掃ウェブは経時的に巻き取られるため、加圧ローラ清掃ウェブの同一面が長時間、加圧ローラ２と接触することがなくなるが、毛細管現象により、巻き取りの上流側となる未使用（加圧ローラ２と接触していない）部分にもシリコンオイルが入り込むため、加圧ローラ清掃ウェブの吸収力が低下し、未使用部分が加圧ローラ２に接触した時に、十分に清掃ができないことがあった。
【発明の開示】
【発明が解決しようとする課題】
【０００５】
本発明の目的は、加熱ローラと加圧ローラの狭持によりトナー像を用紙に定着させる定着装置において、シリコンオイルが加圧ローラ表面に付着することにより発生する印刷用紙の汚染を防止することである。
【課題を解決するための手段】
【０００６】
上記課題は、定着ローラを清掃するウェブ清掃装置を備えた定着装置において、清掃ウェブを搬送する搬送経路上に前記清掃ウェブの厚さよりも小さく設定された狭路を形成する一対の案内部材を設けるとともに、前記案内部材の側面に貫通穴を形成することにより達成される。
【発明の効果】
【０００７】
本発明によれば、加圧ローラ表面に付着したシリコンオイルを除去できるため、印刷用紙に発生するオイル染みを防止することができる。
【発明を実施するための最良の形態】
【０００８】
以下、本発明を図１ないし３を用いて説明する。図１は本発明による定着装置の概略図、図２は本発明における加圧ローラを清掃するウェブ清掃装置の概略図、図３はウェブ清掃装置の案内部材の斜視図である。
【０００９】
図１において、用紙４上に形成されたトナー像３を定着するため、加熱ローラ１と加圧ローラ２が配置されている。また、トナー像３が加熱ローラ１に付着することを防止するため、加熱ローラ清掃機構７が装着されている。前記加熱ローラ清掃機構７は、加熱ローラ１にシリコンオイル５を塗布するオイル供給ウェブ８、オイル供給ウェブ８にシリコンオイル５を供給するオイル供給機１７により構成されている。
【００１０】
図２において、印刷中に用紙通過部で加熱ローラ１に供給されたシリコンオイル５は、用紙４により少量ずつ持ち去られる。一方、用紙非通過部において、加熱ローラ１に供給されたシリコンオイル５は、加熱ローラ１表面に留まり、更に加圧ローラ２表面に付着する。この加圧ローラ２に付着したシリコンオイル５を拭き取るため、加圧ローラ２と接触するように加圧ローラ清掃ウェブ９が配置されている。
【００１１】
前記加圧ローラ清掃ウェブ９は、その両端に中空円管１０が固定されており、中空円管１０が回転することにより、清掃ウェブ１１が搬送される。また、清掃ウェブ１１の搬送経路には、図３に示すように側面に複数の貫通穴１３を有した案内部材１２が配置されている。案内部材１２は毛細管現象による清掃ウェブ１１の未使用面へのシリコンオイル５の浸透を防止し、更に浸透したシリコンオイル５を絞り出すようになっている。更に案内部材１２は、その側面には複数の貫通穴１３を有しており、絞り出したシリコンオイル５が逃げて、オイル受け１４に流れるようになっている。
【図面の簡単な説明】
【００１２】
【図１】本発明における定着装置の概略図である。
【図２】本発明における加圧ローラを清掃するウェブ清掃装置の概略図である。
【図３】本発明におけるウェブ清掃装置の案内部材の斜視図である。
【図４】従来の定着装置の概略図である。
【符号の説明】
【００１３】
１は加熱ローラ、２は加圧ローラ、３はトナー像、４は用紙、５はシリコンオイル、６は固定式ウェブ、７は加熱ローラ清掃機構、８はオイル供給ウェブ、９は加圧ローラ清掃ウェブ、１０は中空円管、１１は清掃ウェブ、１２は案内部材、１３は貫通穴、１４はオイル受け、１５はウェブ案内棒、１６は予熱板、１７はオイル供給機、１８は用紙搬送ローラ、１９はプレッシャローラである。
【図１】
2009181079.tif 000003
【図２】
2009181079.tif 000004
【図３】
2009181079.tif 000005
【図４】
2009181079.tif 000006
(57)【要約】【課題】    従来の携帯グッズの販売方法は、例えば携帯ストラップであれば、そのストラップの製品キャラクターとストラップ部分を一体化したもの自体を販売しているだけで、購入者が携帯グッズの製品キャラクターの由来やイメージ等に喚起されたとしても、パッケージに印刷された情報や購入検討等の際の口コミ程度のものであった。【解決手段】    携帯グッズの製品キャラクターの由来やイメージ等に喚起されて作成した音楽・映像収録記憶媒体と携帯グッズ自体とを組み合わせて販売するため、携帯グッズの製品キャラクターの由来を音楽や映像で楽しむ事が出来るため、購入者の購買意欲を高める事が出来る。【特許請求の範囲】
【請求項１】
携帯グッズの製品キャラクターの由来やイメージ等に喚起されて作成した
音楽・映像収録記憶媒体と携帯グッズ自体とを組み合わせて販売する事を特徴とする携帯グッズの販売方法。
【請求項２】
携帯グッズが携帯ストラップ又は携帯ケースである事を特徴とする請求項１に記載の携帯グッズの販売方法。
【請求項３】
音楽・映像記憶媒体がＣＤ又はＤＶＤである事を特徴とする請求項１に記載の携帯グッズの販売方法。
【発明の詳細な説明】
【技術分野】
【０００１】  本発明は、携帯グッズの販売において、音楽や映像を収録した記憶媒体と組み合わせて携帯グッズを販売する方法に関する。
【背景技術】
【０００２】  従来の携帯グッズである携帯ストラップ等を販売する際には、そのストラップのフィギュア等の製品キャラクターとストラップ部分とを一体としてパッケージされたものを販売している。
又、電化製品等の販売においては、その使用方法を説明した取扱説明書としてのビデオ等が購入時に付属して販売されている。
【発明の開示】
【発明が解決しようとする課題】
【０００３】  しかしながら、従来の携帯グッズは、先述のように、グッズのみをパッケージして販売しているだけであった。【０００４】  このため、購入者が、携帯グッズの製品キャラクターの由来やイメージ等に喚起されたとしても、パッケージ等に印刷されたものや購入検討時の口コミ等で知りうる程度でしかなかった。
本発明の目的は、これら従来の課題を解決し、携帯グッズのキャラクターに喚起されて作成された音楽・映像記憶媒体が組み合わせて販売されているため、購入者の購買意欲を高める携帯グッズの販売方法を提供出来るようにする。
【課題を解決するための手段】
【０００５】  上記課題を解決するために本発明は、携帯グッズの製品キャラクターの由来やイメージ等に喚起されて作成した音楽・映像収録記憶媒体と携帯グッズ自体とを組み合わせて販売する事を特徴とした携帯グッズの販売方法である。
【発明の効果】
【０００６】  本発明の携帯グッズの販売方法は以上のような構成であるため、例えば携帯グッズの製品キャラクターの由来を音楽や映像でも楽しむ事が出来、更にはその携帯グッズの製造工程等も映像として閲覧出来るので、購入意欲を高めたり、購入層の拡大を見込める効果が期待出来る。
【発明を実施するための最良の形態】
【０００７】  本発明で言う携帯グッズとは、携帯電話に付随する小物類の事であり、例えば携帯ストラップや携帯ケース等があげられる。
又、これらストラップやケース等の小物類の形状、大きさ、デザイン、構造、材質又は製造方法等は特に限定される事はない。
又、携帯グッズの製品キャラクターとは、例えば携帯ストラップであれば、その商品を構成するフィギュア等の製品自体の事を言う。
更に携帯グッズの製品キャラクターの由来やイメージ等に喚起されて作成した音楽・映像とは、例えば携帯ストラップのフィギュアであれば、そのフィギュアの生まれた背景、歴史、イメージ等によって作成されるものを言うが、製造工程等を収録したものであっても良く、これらを記憶した媒体は、大量に安価に製造、パッケージ出来るＣＤやＤＶＤである事が好ましい。
一方、販売方法としては、店頭売り、インターネットサイトや携帯サイト等での販売方法があげられるが、何ら限定されるものではない。
【実施例】
【０００８】  以下、本発明の一実施例を説明するがこれによって本発明はなんら限定されるものではない。【０００９】  例えば携帯ストラップの製品キャラクターとして南の島のお守りさんがある。一方、この南の島のお守りさんの由来として、実際、南の島の風景や現地の環境等を撮影した映像や現地の音楽が収録されているＤＶＤを作成しておく。そしてこの携帯ストラップと収録ＤＶＤとを一体パッケージして組み合わせて販売する。
又、他の実施例として、携帯ケースを販売した場合、そのケースの使用方法や実際に工場で製造される工程等を収録したＤＶＤを作成して携帯ケースと収録ＤＶＤとを一体パッケージして組み合わせて販売する。
【産業上の利用の可能性】
【００１０】  携帯グッズの販売方法において、単に購入するものが携帯グッズ単体ではなく、携帯グッズの製品キャラクターに喚起されて作成したＤＶＤ等の音楽・映像記憶媒体と組み合わせて販売されるため、購入者の購買意欲を高める優れた販売方法となる。